(57)【要約】【課題】命綱（安全ロープ）を親綱に結合したまま、親綱を両端間で支える器具を通過できる手段を、安価で、かつ信頼性の高い方法で実現することを目的とする。【解決手段】親綱１０を保持する支持枠１８と２０が水平に近接して設置され、一方の支持枠１８には下側に切欠１８ａが、他方の支持枠２０には上側に切欠２０ａが設けられている。また、両支持枠の内側には、親綱１０と結合した親綱中継金具２２が渡され、その両端の鍔２２ｃ、２２ｄは親綱１０の滑動を制限する。【選択図】　　　　図１
2004016391.tif 000002
【特許請求の範囲】
【請求項１】
命綱先端の環状フックが結合される親綱を、その両端間で支持する親綱支持器具であって、
フックの厚みより僅かに広い間隔で隣接配置され、
親綱を内側に保持する２個の支持枠を有し、
両支持枠にはフックを通り抜け可能にする切欠が支持枠上で互いに異なる位置に設けられていることを特徴とする親綱支持器具。
【請求項２】
請求項１記載の親綱支持器具であって、
親綱には支持枠を往来不能な鍔が設けられていることを特徴とする親綱支持器具。
【請求項３】
請求項１または２記載の親綱支持器具であって、
エレベータかごの屋根部分に取り付けられていることを特徴とする親綱支持器具。
【発明の詳細な説明】
【０００１】
【発明の属する技術分野】
本発明は、命綱フックが通過可能な親綱支持器具、特に親綱を保持する支持枠に切欠を有する親綱支持器具に関する。
【０００２】
【従来の技術】
一般に、高所作業を行う際には、作業員は、命綱（安全ロープ）の一端を作業員の体に繋ぎ、他端を安定な建造物や親綱に繋いで安全を確保する。この場合、作業員には、作業場所を移動する度に命綱の結合先を変更しなければならない煩雑さがある。
【０００３】
エレベータ点検時の高所作業において、この問題を解決する手段が、特開平８−９９７８２号公報に記載されている。この従来技術においては、命綱の先端のフックの取付け先を、固定点ではなく手すり形状の金具とすることで、作業員の行動可能範囲の拡大を図っている。
【０００４】
また、特開平７−２２４５４０号公報には、命綱フックの取り付け先を親綱とする場合に、図８に示した揺動片付きの親綱支持金具を用いて問題を解決する手段が開示されている。すなわち、両端を固定された親綱４０は、その間に備え付けられた親綱支持金具４２で支えられている。この親綱支持金具４２には切欠４４が設けられているが、揺動片４６ａ、４６ｂ、４６ｃが切欠部に設置されて、親綱４０が外れるのを防いでいる。親綱４０には、命綱４８がその先端の環状のフック５０を用いて結合される。このフック５０は揺動片４６ａ、４６ｂ、４６ｃを超えて切欠４４を通過できるため、命綱４８をつけた作業員は、フック５０を取り外すことなく、親綱支持金具４２を超えて移動することができる。
【０００５】
【発明が解決しようとする課題】
しかしながら、前記特開平８−９９７８２号公報記載の安全装置には、手すり形状の金具長に制約されて、フックが比較的短い距離しか移動することができないという問題があった。
【０００６】
また、前記図８の発明には、親綱支持金具４２によって親綱４０を支持するので、長い距離に対応できる利点はあるが、機械的な揺動片４６ａ、４６ｂ、４６ｃを含むため、製造費が高くなる問題と、保守点検が必要となる問題があった。
【０００７】
【課題を解決するための手段】
上記課題を解決するために、第１の発明の親綱支持器具は、命綱先端の環状フックが結合される親綱を、その両端間で支持する親綱支持器具であって、フックの厚みより僅かに広い間隔で隣接配置され、親綱を内側に保持する２個の支持枠を有し、両支持枠にはフックを通り抜け可能にする切欠が支持枠上で互いに異なる位置に設けられていることを特徴とする。
【０００８】
また、第２の発明は、第１の発明の親綱支持器具の特徴に加え、親綱には支持枠を往来不能な鍔が設けられていることを特徴とする。
【０００９】
さらに、第３の発明は、第１または２の発明の親綱支持器具が、エレベータかごの屋根部分に取り付けられていることを特徴とする。
【００１０】
【発明の実施の形態】
以下に、本発明の好適な実施形態を、図面を用いて説明する。図中、同一部材には同一符号を付して説明を省略する。
【００１１】
図１は親綱支持器具の構成を示す斜視図、図２は図１をＡの矢印方向からみた上面図である。まず、親綱１０が水平に張られており、図の範囲外になるが、その両端はカラビナを用いて安定した位置に固定されている。本発明の親綱支持器具は、固定された親綱１０の両端の間において、親綱を支える役割を担う。したがって、堅固に設置される必要があり、図示した例においては、安定した支柱１２に、固定金具１４と１４ａおよびネジ１４ｂを用いて固定されている。固定金具１４には支持腕１６が溶接されており、支持腕１６には２つの支持枠１８と２０が距離Ｇだけ離れて水平に溶接されている。支持枠１８と２０は、上面および下面は板状、側面は丸状の肉厚の金属製であり、その内部の空間に渡される親綱１０を保持している。さらに、支持枠１８の下面には切欠１８ａが、他方の支持枠２０には上面に切欠２０ａが、後で述べるように、命綱のフックの通路として設けられている。しかし、この位置関係のために、親綱１０は周囲を全て両支持枠１８、２０で囲われるため、命綱をつけた作業者等によって様々な外力を加えられても、切欠１８ａまたは２０ａを通って支持枠１８、２０の外へ飛び出すことはない。なお、図示した例では、親綱１０は親綱支持器具の両外辺部分において親綱中継金具２２と結合されており、特別な長い綱を使わずに短い綱の組み合わせで利用できる構造になっているが、本質的な働きは親綱中継金具２２を使わない場合と同様であり、全体で長い一本の親綱として機能している。親綱１０と親綱中継金具２２との結合は、それぞれの端のリング１０ａと２２ａおよび１０ｂと２２ｂとを繋ぐことで行われている。また、親綱中継金具２２の両端近くには、鍔２２ｃと２２ｄが設けられており、後に記すように、親綱１０が支持枠１８と２０を滑動し、大きく左右に往き来してしまうことを防ぐ役割を果たしている。
【００１２】
親綱１０には、作業員と結合された命綱２４が、先端の環状のフック２４ａによって結合されている。これによって、命綱２４をつけた作業員は、足を滑らすなどして転倒した場合にも、命綱２４に支えられ転落を免れることができる。さて、この転倒の際には、親綱１０は命綱２４との結合部分に向かって引っ張られ、滑動する。したがって、作業員は、親綱１０の初期の弛み長さ分だけ長く移動することになる。特に、親綱１０が長い場合には、弛みの全長も長くなるため、作業員の移動距離が増大することになる。そこで、親綱１０には鍔２２ｃと２２ｄが設けられ、転倒時には鍔２２ｃ、２２ｄが支持枠１８または２０の外端、あるいは両者の間に引っかかることで親綱１０の滑動を防止する機能を備えている。なお、図に示した例では、鍔２２ｃ、２２ｄは親綱１０に直接つけられてはおらず、親綱中継金具２２の両端に設置されているが、本質的機能は同じである。
【００１３】
命綱２４をつけた作業員は、親綱支持金具の一方の側から他方の側へとなるべく無駄な動作をともなわずに移動できることが望ましい。また、その際には、命綱２４を親綱１０から取り外すことなく通過できることが、安全のために重要である。本発明では、この機能を、両支持枠１８、２０に切欠１８ａと２０ａを設け、この部分にフック２４ａを通すことで実現している。図３、４、５は、フック２４ａが、親綱支持器具を図の右側から左側へと通される様子を説明している。はじめ図の右側にあったフック２４ａは、図３に示すように、上方に持ち上げられ、支持枠２０の上側にある切欠２０ａを右から左へと通される。両支持枠の中間地点においては、図４のように、フック２４ａは手前側に転回して下方に降ろされる。最後に、図５に示すように、フック２４ａは支持枠１８の下面の切欠１８ａを左側へと通され、親綱支持器具の左側に到達する。
【００１４】
この一連の操作が可能となるように、両支持枠の切欠１８ａと２０ａの幅は、フック２４ａの幅よりも若干広くとられている。ただし、あまり広くなると親綱１０の支持効果に問題が生じるので、フック２４ａの横方向の幅を縦方向よりも短くする工夫を施している。また、両支持枠１８、２０間の幅Ｇは、両支持枠１８、２０が一体となって機能する親綱１０の支持効果を保ちつつ、フック２４ａの転回動作を無理なく行うことができるよう、フック２４ａの厚みよりも僅かに広くとられている。
【００１５】
なお、支持枠１８と２０の形状は、本発明の効果を与えるものであれば、図示したものよりも丸みを持っていても、角張っていても良い。また、この形状は、支持枠１８と２０とで、互いに異なっていても良いし、同一として製造コストを下げることも可能である。支持枠の切欠１８ａと２０ａの位置は、図示した例においてはそれぞれ上面と下面としたが、作業中や転倒時に複雑な外力を受ける親綱１０を支持できるような互いに異なる位置であれば、側面等であっても良い。また、親綱１０の保持機能を高めるために、支持枠が２個より多く設けられていても良い。
【００１６】
次に、親綱支持器具をエレベータのかご上に設置する例を、図６の上面図と図７の側面図を用いて説明する。図６に示すように、エレベータでは、昇降路３０内にかご３２が置かれ、かご３２の天井部分にはかご上枠３４が設けられている。そして、図７に示すように、作業員Ｔは、かご３２に乗ってかご３２の周辺部を保守・点検する他、かご３２を昇降させながら昇降路３０内の保守・点検も行う。この際、作業員Ｔは安全を確保するために命綱２４をつける。図６の例では、命綱２４を結合する親綱１０は、かご上枠３４と支柱１２、１２ａを用いて、かご３２の外縁を取り巻くように設置されている。ここで、かご上枠３４及びかご３２の角部に設置された支柱１２ａにおいては、親綱１０はカラビナ式の金具によって固定され、かご３２の辺部に設置された支柱１２においては親綱支持器具によって支持される。したがって、作業員Ｔは図６におけるかご３２の上辺あるいは下辺を、命綱２４を親綱１０に結合したまま移動し、作業することができる。
【００１７】
なお、親綱支持器具および支柱１２は、距離に応じてこれらの辺上に複数設置することも可能である。また、親綱１０の全長が短い場合には、親綱中継金具２２を用いずに、直接親綱１０を支持枠１８、２０内に渡すこともできる。この場合には、支持枠１８、２０内の角部に丸みをもたせると、親綱１０にかかる加重を分散させることができ、安全性が向上する。
【００１８】
以上に説明した実施の形態では、親綱支持器具は金属製であることを前提にしてきたが、当然ながら、金属と同等以上の強度を持つ合成樹脂等の代替物質を用いることも可能である。また、本発明は、ここで示したエレベータの保守点検作業の例に限らず、建設作業や保守点検作業一般にも適用することができる。
【００１９】
【発明の効果】
上で述べたように、本出願の第１の発明によれば、命綱のフックを親綱に結合したまま通過できる親綱支持器具を機械的部分を含まない簡潔な構造により実現しているため、故障しにくく、製造および保守に要するコストを軽減できる。また、本出願の第２の発明によれば、親綱の全長が長い場合にも、親綱の滑動長を短くして移動距離を短縮することが可能となり、安全性が向上する。また、本出願の第３の発明によれば、比較的大きなエレベータのかご上に、効率性と安全性そして経済性を兼ね備えた命綱結合手段を設置することができる。
【図面の簡単な説明】
【図１】本発明の実施の形態を示す斜視図である。
【図２】図１の矢印Ａから見た図である。
【図３】命綱のフック２４ａが支持枠２０を移動する様子を示す図である。
【図４】命綱のフック２４ａが両支持枠間にある際の様子を示す図である。
【図５】命綱のフック２４ａが支持枠１８を移動する様子を示す図である。
【図６】エレベータのかご上に、本発明の器具を配置した例を示す図である。
【図７】エレベータのかご上で、作業員が命綱をつけた状態を示す図である。
【図８】親綱支持器具の従来例を示す図である。
【符号の説明】
１０　親綱、１８，２０　支持枠、１８ａ，２０ａ　切欠、２２　親綱中継金具、２２ｃ，２２ｄ　鍔、２４　命綱、２４ａ　フック、３２　エレベータかご。
【図１】
2004016391.tif 000003
【図２】
2004016391.tif 000004
【図３】
2004016391.tif 000005
【図４】
2004016391.tif 000006
【図５】
2004016391.tif 000007
【図６】
2004016391.tif 000008
【図７】
2004016391.tif 000009
【図８】
2004016391.tif 000010